【事件の表示】
　特願２００４−　３６９１２「グループ内呼接続制御システム、呼接続サービス制御装置、位置情報管理装置、及び、グループ内呼接続制御方法」拒絶査定不服審判事件〔平成１７年　８月２５日出願公開、特開２００５−２２９４０６〕について、次のとおり審決する。
【結　論】
　本件審判の請求は、成り立たない。
【理　由】
第１．手続の経緯
　本願は，平成１６年２月１３日に特許出願されたものであって，平成１８年９月１９日付けで手続補正がなされたところ，平成１８年１０月１１日付けで拒絶査定がなされ，これに対し，平成１８年１１月１６日に拒絶査定に対する審判請求がなされるとともに同年１２月１８日付けで手続補正がなされたものである。
　
第２．補正却下の決定
［補正却下の決定の結論］
　　平成１８年１２月１８日付けの手続補正を却下する。
　
［理由］
１．本件補正
　本件補正は，明細書の特許請求の範囲について，次のように補正することを含むものである。
　
（１）補正前
「【請求項１】
　同一グループに属する通信装置に対しての呼接続を制御するグループ内呼接続制御システムにおいて，
　前記グループに属する通信装置を識別するためのユーザ識別情報と，該通信装置が属するグループを識別するためのグループ識別情報とを対応付けて記憶するグループ管理手段と，
　前記グループに属する通信装置の中から，該通信装置の少なくとも位置情報に基づいて呼を接続すべき接続先通信装置を判定するためのアルゴリズムを記述した，変更可能なサービスロジックを，前記グループ識別情報と対応付けて記憶するサービスロジック記憶手段と，
　発信者の通信装置から，前記グループ識別情報を含む発信要求を受信した場合に，該グループ識別情報に対応付けられて前記サービスロジック記憶手段に記憶されているサービスロジックを取得するサービスロジック取得手段と，
　前記サービスロジック取得手段により取得されたサービスロジックに基づいて前記判定を行うために必要な情報を収集する判定情報収集手段と，
　前記判定情報収集手段により収集された情報と前記サービスロジック取得手段により取得されたサービスロジックとに基づいて，前記接続先通信装置を判定する接続先判定手段と，
　前記接続先判定手段により判定された前記接続先通信装置との呼を接続する呼接続手段と
　を備えることを特徴とするグループ内呼接続制御システム。
　　【請求項２】
　同一グループに属する通信装置に対する発信要求があった場合に，該グループに属する通信装置の中から，呼を接続すべき接続先通信装置を判定する呼接続サービス制御装置において，
　発信者の通信装置から，前記グループを識別するグループ識別情報を含む発信要求を受信した場合に，該グループ識別情報で識別されるグループに属する通信装置を識別するためのユーザ識別情報を取得するグループメンバ取得手段と，
　前記グループに属する通信装置の中から，該通信装置の少なくとも位置情報に基づいて，前記接続先通信装置を判定するためのアルゴリズムを記述した，変更可能なサービスロジックを取得するサービスロジック取得手段と，
　前記サービスロジック取得手段により取得されたサービスロジックに基づいて前記判定を行うために必要な情報を収集する判定情報収集手段と，
前記判定情報収集手段により収集された情報と，前記サービスロジック取得手段により取得されたサービスロジックとに基づいて，前記接続先通信装置を判定する接続先判定手段と
　を備えることを特徴とする呼接続サービス制御装置。
　　【請求項３】
　前記サービスロジック取得手段により取得されるサービスロジックには，現在と未来との少なくとも一方の時点における，前記発信者の通信装置と前記グループに属する通信装置との間の距離に応じた判定ルールが含まれることを特徴とする請求項２に記載の呼接続サービス制御装置。
　　【請求項４】
　前記サービスロジック取得手段により取得されるサービスロジックには，前記発信者の通信装置と前記グループに属する通信装置との接続回数に応じた判定ルールと，前記接続先通信装置の候補が通信中である場合の判定ルールと，前記接続先通信装置の候補が複数存在する場合の判定ルールとのうちの少なくとも１が含まれていることを特徴とする請求項２又は３に記載の呼接続サービス制御装置。
　　【請求項５】
　外部からの入力により，前記グループに対して適用するサービスロジックを選択するサービスロジック選択手段をさらに備えることを特徴とする請求項２から４のいずれか１項に記載の呼接続サービス制御装置。
　　【請求項６】
　同一グループに属する通信装置に対しての呼接続を制御するグループ内呼接続制御方法において，
　発信者の通信装置が，前記グループを識別するグループ識別情報を含む発信要求を送信する発信手順と，
　グループ内呼接続制御システムが，前記発信手順において発信要求を受信した場合に，該発信要求に含まれるグループ識別情報で識別されるグループに属する通信装置を識別するためのユーザ識別情報を取得するグループメンバ取得手順と，
　前記グループ内呼接続制御システムが，前記グループ識別情報で識別されるグループに属する通信装置の中から，該通信装置の少なくとも位置情報に基づいて，前記接続先通信装置を判定するためのアルゴリズムを記述した，変更可能なサービスロジックを取得するサービスロジック取得手順と，
　前記グループ内呼接続制御システムが，前記サービスロジック取得手順により取得されたサービスロジックに基づいて前記判定を行うために必要な情報を収集する判定情報収集手順と，
　前記グループ内呼接続制御システムが，前記判定情報収集手段により収集された情報と前記サービスロジック取得手段により取得されたサービスロジックとに基づいて，前記接続先通信装置を判定する接続先判定手順と，
　前記グループ内呼接続制御システムが，前記接続先判定手段により判定された通信装置との呼を接続する呼接続手順と
　を有することを特徴とするグループ内呼接続制御方法。」
　
（２）補正後
「【請求項１】
　同一グループに属する通信装置に対しての呼接続を制御するグループ内呼接続制御システムにおいて，
　前記グループに属する通信装置を識別するためのユーザ識別情報と，該通信装置が属するグループを識別するためのグループ識別情報とを対応付けて記憶するグループ管理手段と，
　前記グループに属する通信装置の中から，該通信装置の少なくとも位置情報に基づいて呼を接続すべき接続先通信装置を判定するためのアルゴリズムを記述した，変更可能なサービスロジックを，前記グループ識別情報と対応付けて記憶するサービスロジック記憶手段と，
　発信者の通信装置から，前記グループ識別情報を含む発信要求を受信した場合に，該グループ識別情報に対応付けられて前記サービスロジック記憶手段に記憶されているサービスロジックを取得するサービスロジック取得手段と，
　前記サービスロジック取得手段により取得されたサービスロジックに基づいて前記判定を行うために必要な情報を収集する判定情報収集手段と，
　前記判定情報収集手段により収集された情報と前記サービスロジック取得手段により取得されたサービスロジックとに基づいて，前記接続先通信装置を判定する接続先判定手段と，
　前記接続先判定手段により判定された前記接続先通信装置との呼を接続する呼接続手段と
　を備え，前記サービスロジック記憶手段に記憶されているサービスロジックは，発信者から最長距離にいて通信可能であるか，マルチコール接続可能であるか，を順に判定した後，発信者との通信回数が最も多いか，加速度と移動方向とから所定時間後に最も近い距離にいると予想されるか，のいずれか一方を判定するアルゴリズムであることを特徴とするグループ内呼接続制御システム。
　　【請求項２】
　同一グループに属する通信装置に対する発信要求があった場合に，該グループに属する通信装置の中から，呼を接続すべき接続先通信装置を判定する呼接続サービス制御装置において，
　発信者の通信装置から，前記グループを識別するグループ識別情報を含む発信要求を受信した場合に，該グループ識別情報で識別されるグループに属する通信装置を識別するためのユーザ識別情報を取得するグループメンバ取得手段と，
　前記グループに属する通信装置の中から，該通信装置の少なくとも位置情報に基づいて，前記接続先通信装置を判定するためのアルゴリズムを記述した，変更可能なサービスロジックを取得するサービスロジック取得手段と，
　前記サービスロジック取得手段により取得されたサービスロジックに基づいて前記判定を行うために必要な情報を収集する判定情報収集手段と，
前記判定情報収集手段により収集された情報と，前記サービスロジック取得手段により取得されたサービスロジックとに基づいて，前記接続先通信装置を判定する接続先判定手段と
　を備え，前記サービスロジックは，発信者から最長距離にいて通信可能であるか否かを判定するアルゴリズムであることを特徴とする呼接続サービス制御装置。
　　【請求項３】
　　前記サービスロジック取得手段により取得されるサービスロジックには，前記グループに属する通信装置がマルチコール接続可能か否か判定するアルゴリズムを含むことを特徴とする請求項２に記載の呼接続サービス制御装置。
　　【請求項４】
　前記サービスロジック取得手段により取得されるサービスロジックには，未来の時点における，前記発信者の通信装置と前記グループに属する通信装置との間の距離に応じた判定ルールが含まれることを特徴とする請求項３に記載の呼接続サービス制御装置。
　　【請求項５】
　前記サービスロジック取得手段により取得されるサービスロジックには，前記未来の時点における，前記発信者の通信装置と前記グループに属する通信装置との間の距離を，加速度と移動方向から予測するアルゴリズムを含むことを特徴とする請求項４に記載の呼接続サービス制御装置。
　　【請求項６】
前記サービスロジック取得手段により取得されるサービスロジックには，前記発信者の通信端末と前記グループに属する通信装置との通信回数を判定するアルゴリズムを含むことを特徴とする請求項３に記載の呼接続サービス制御装置。
　　【請求項７】
　外部からの入力により，前記グループに対して適用するサービスロジックを選択するサービスロジック選択手段をさらに備えることを特徴とする請求項２から６のいずれか１項に記載の呼接続サービス制御装置。
　　【請求項８】
　同一グループに属する通信装置に対しての呼接続を制御するグループ内呼接続制御方法において，
　発信者の通信装置が，前記グループを識別するグループ識別情報を含む発信要求を送信る発信手順と，
　グループ内呼接続制御システムが，前記発信手順において発信要求を受信した場合に，該発信要求に含まれるグループ識別情報で識別されるグループに属する通信装置を識別するためのユーザ識別情報を取得するグループメンバ取得手順と，
　前記グループ内呼接続制御システムが，前記グループ識別情報で識別されるグループに属する通信装置の中から，該通信装置の少なくとも位置情報に基づいて，前記接続先通信装置を判定するためのアルゴリズムを記述した，変更可能なサービスロジックを取得するサービスロジック取得手順と，
　前記グループ内呼接続制御システムが，前記サービスロジック取得手順により取得されたサービスロジックに基づいて前記判定を行うために必要な情報を収集する判定情報収集手順と，
　前記グループ内呼接続制御システムが，前記判定情報収集手段により収集された情報と前記サービスロジック取得手段により取得されたサービスロジックとに基づいて，前記接続先通信装置を判定する接続先判定手順と，
　前記グループ内呼接続制御システムが，前記接続先判定手段により判定された通信装置との呼を接続する呼接続手順と
　を有し，前記サービスロジックは，発信者から最長距離にいて通信可能であるか，マルチコール接続可能であるか，を順に判定した後，発信者との通信回数が最も多いか，加速度と移動方向とから所定時間後に最も近い距離にいると予想されるか，のいずれか一方を判定するアルゴリズムであることを特徴とするグループ内呼接続制御方法。」　
　
２．補正の適否
　上記補正において，補正後の請求項１，２，４，６〜８は，それぞれ補正前の請求項１〜６に対応し，補正後の請求項３，５は，対応する補正前の請求項が存在しないところ，このような補正前の請求項に対応しない新たな請求項３，５を付加して，請求項の数を増加する補正は，請求項の削除，特許請求の範囲の減縮，誤記の訂正，または明りょうでない記載の釈明の何れの目的にも該当しないので，特許法第１７条の２第４項の規定に違反している。
　
３．むすび
　以上のとおり，本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。
　　
第３．本願発明について
１．本願発明
　平成１８年１２月１８日付けの手続補正は上記のとおり却下されたので，本願の請求項６に係る発明（以下，「本願発明」という。）は，平成１８年９月１９日付けの手続補正書により補正された明細書，特許請求の範囲及び図面の記載からみて，その特許請求の範囲の請求項６に記載されたとおりのもの（上記「第２．」の「１．」の「（１）補正前」の項参照）と認める。
　
２．引用例
Ａ．原審の拒絶理由に引用された特開平１０−７９７９３号公報（以下，「引用例という。）には，「移動体通信システム，管理装置およびグループ呼び出し方法」の発明に関し，図面とともに以下の事項が記載されている。
　イ．「【０００１】
【発明の属する技術分野】本発明は，移動体通信システムに関わり，移動体通信端末で構成するグループあるいは移動体通信端末および一般固定端末で構成するグループにおいて，移動体通信端末と一般固定端末との位置情報を利用して呼び出しを行うグループ呼び出し方法に関する。」（３頁左欄２８行〜３４行）
　ロ．「【０００５】
【発明が解決しようとする課題】・・・（中略）・・・。
【０００６】本発明の目的は，ユーザーが移動体通信端末の位置情報を利用することができるようにすることにある。また，一つのグループの複数の移動体通信端末のうち指定する位置に対して最短距離にある移動体通信端末を呼び出すことを他の目的とする。」（３頁右欄６行〜１７行）
　ハ．「【００１２】
【発明の実施の形態】以下，本発明に係る一実施形態を図１から図１６を参照することにより説明する。
【００１３】図１は，本発明による移動体通信端末および固定端末のグループ呼び出し方法の一実施形態を示す移動体通信システムの構成図を示している。図１において，本移動体通信システムは，移動体交換機網５と，固定網３および４と，固定網３に収容されたユーザーの固定端末１および固定網４に収容されたユーザーの固定端末２と，網・加入者データ管理装置５１とを備える。・・・（中略）・・・また，移動体交換機網５は，移動体交換機１１，１２と，それぞれに対して接続される無線ゾーン６１，６２，６３および無線ゾーン６４，６５，６６とを備える。移動体交換機１１，１２は，・・・（中略）・・・各種データを格納するメモリ装置４１，４２・・・（中略）・・・を備える。・・・（中略）・・・メモリ装置４１，４２には，本発明に係わるデータを格納し，移動体の位置情報を記憶する移動体位置情報メモリ１０１，１０２と，加入者のグループ属性を格納するグループ属性メモリ１１１，１１２と，加入者に関する情報を記憶する加入者メモリ１２１，１２２とを備える。・・・（中略）・・・。
【００１４】網・加入者データ管理装置５１は，網と加入者データと管理し，また，本発明におけるグループの登録及び呼び出しの指示を受けたときのグループにおける呼び出しを行う。網・加入者データ管理装置５１は，移動体通信端末の位置情報を記憶する移動体通信端末位置情報メモリ１４０と，後述する図３に示すグループの構成情報を記憶するグループ構成メモリ１４１と，電話番号と予め定めた地域座標との変換テーブルを記憶する電話番号・地域座標変換装置１４２と，移動体通信端末の位置情報と地域座標との変換テーブルを記憶する位置情報・地域座標変換装置１４３と，電話番号と予め定めた地域座標との変換テーブルを記憶するデータベース１４４と，・・・（中略）・・・グループのうち呼び出す順番に構成員の呼び出し番号を記憶するグループ呼び出し待ちリスト１４８と，・・・（中略）・・・を備える。
【００１５】図２に，移動体通信端末位置情報メモリ１４０の構成図を示す。図２において，移動体通信端末位置情報メモリ１４０には，移動体通信端末の加入者毎に，加入者の端末番号，その端末の収容元となる収容元交換機識別番号，その端末が移動したときに登録される移動先の交換機識別番号，無線回線制御局識別番号，基地局識別番号，エリアコードが記録される。・・・（中略）・・・。」（４頁左欄２９行〜右欄４６行）
　ニ．「【００１７】・・・（中略）・・・グループ構成メモリ１４１に格納するデータ形式の例を図３に示す。図３に示す例では，グループ構成メモリ１４１は，各グループごとに設けられ，通信網全体でグループの識別を行うためのグループコード２０１・・・（中略）・・・グループ構成員のデータ（端末電話番号）２０４が記録される。・・・（中略）・・・。」（５頁左欄２７行〜右欄１５行）
　ホ．「【００２６】次に，・・・（中略）・・・本発明によるグループ呼び出しを利用する際のシステム動作および手順を図１を参照して説明する。図１において，移動体通信端末８１，８２，８３および固定端末１がグループ登録契約を行った場合を例にする。移動体通信端末８１，８２，８３は，それぞれ無線エリア６１，６２，６３中に存在し，位置登録操作を行うことによって，基地局７１，７２，７３を介して移動交換機１１のメモリ装置４１の移動体位置情報メモリ１０１に位置情報が格納され，また，図２に示す網・加入者データ管理装置５１の移動体通信端末位置情報メモリ１４０にも位置情報が格納される。・・・（中略）・・・。
【００２７】以上のデータ設定・格納を背景として，グループを構成する端末の一つである移動体通信端末８１が同じグループの端末と通信を行いたい場合を例にして，本発明におけるグループ呼び出しを実行する際の手順例を図１０を参照して説明する。
【００２８】図１０において，まず，グループ構成者の移動体通信端末８１が，グループ呼び出しのためにあらかじめ設定された特定電話番号にダイヤルする（ステップ８００）。次に，自分が通信を行いたいグループを選択するため，・・・（中略）・・・ユーザー認識グループ番号の入力を受け付ける（ステップ８０１）。・・・（中略）・・・入力を受けた移動体交換機１１は，・・・（中略）・・・ユーザーと移動体交換機１１の間で行っていたデータおよびガイダンスの送受信の制御を移動体交換機１１からデータリンク９を介して網・加入者管理装置５１に遷移させる。このとき，移動体通信端末８１の電話番号と，グループ属性メモリ１１１に格納されているユーザー認識グループ番号３０３とそれに対応するグループコード３０４と地域座標３０１とを網・加入者管理装置５１に送信する。
【００２９】・・・（中略）・・・つぎに，ステップ８０２によって移動体交換機１１からデータリンク９を介して網・加入者管理装置５１に転送されたデータの中のグループコード３０４に一致するデータを網・加入者管理装置５１のグループ構成メモリ１４１から検索する。一致するグループコードに対応するグループ構成人数２０２およびグループ構成員データ２０３，２０４のデータをグループ呼び出し待ちリストメモリ１４８に格納する（ステップ８０６）。・・・（中略）・・・グループ呼び出し待ちリストメモリ１４８には，グループコードに対応してグループ構成人数２０２およびグループ構成員データ２０３，２０４が格納され，それとともに後述する指定端末との距離が格納される。
【００３０】図１０において，グループ呼び出し待ちリストメモリ１４８の一つめのグループ構成員データに格納されている電話番号が移動体通信端末のものか，固定端末のものかの判定を行い，・・・（中略）・・・移動体通信端末である場合，網・加入者管理装置５１の移動体通信端末位置情報メモリ１４０を用いて移動体通信端末の位置情報を収集する（ステップ８０９）。・・・（中略）・・・。
【００３１】全てのグループ構成員の着信の可不可の判断を行った後に，図１１に示すステップ８１２に移行する。・・・（中略）・・・次に，グループ呼び出し待ちリストメモリ１４８に呼び出し検索対象者が存在するか否かを判定し・・・（中略）・・・リストが空ではない場合，グループ呼び出し方法の選択を受け付ける（ステップ８１６）。次にステップ８１６での入力が“０”の場合，サービスを利用しようとしている移動体通信端末８１がある地域に最も距離が近い端末を検索して呼び出すサービス（ステップ８１８），入力が“１”の場合，指定した電話番号が割り当てられている端末に最も距離が近い端末を検索して呼び出すサービス（ステップ８１９），入力が“２”の場合，距離に関係なく一斉呼び出しを行うサービス（ステップ８２０）にそれぞれ移行する（ステップ８１７）。
【００３２】ここで，ステップ８１６で“０”が入力され，ステップ８１７を介してステップ８１８に移行している状態，すなわち，グループの構成端末である移動体通信端末８１が，自端末に最も近い位置にある端末と通信を行おうとする手順例を図１３に示す。・・・（中略）・・・ステップ８０８およびステップ８１１で受信した各端末の地域座標とステップ８０３で受信した移動体通信端末８１の地域座標から，移動体通信端末８１と各端末との距離を算出する（ステップ９０１）。この結果をグループ呼び出し待ちリストメモリ１４８に格納し，距離をキーに昇順でグループ呼び出し待ちリストメモリ１４８を並び替える（ステップ９０２）。次に，グループ呼び出し待ちリストメモリ１４８の先頭すなわち移動体通信端末８１に最も近い端末の電話番号の呼び出しを行う。・・・（中略）・・・。」（７頁右欄７行〜９頁左欄４７行）
　ヘ．「【００４２】
【発明の効果】本発明によれば，グループ内の位置情報を利用することができ，また，一つのグループの複数の移動体通信端末のうち指定する位置に対して最短距離にある移動体通信端末を呼び出すことができる。」（１０頁右欄４９行〜１１頁左欄３行）
　
　上記記載，及びこの分野の技術常識によれば，引用例には，以下の発明（以下，「引用発明」という。）が開示されているものと認められる。
　
　「固定端末１，２，または移動体通信端末８１〜８６のうち，同一グループに属する端末を呼び出すグループ呼び出し方法において，
　前記端末のうち，例えば，移動体通信端末８１が，グループ呼び出しのためにあらかじめ設定された特定電話番号にダイヤルすると，移動体交換機１１は前記ダイヤルされた特定電話番号の入力を受け付ける特定電話番号入力受付手順（ステップ８００）と，
　前記移動体通信端末８１が自分が通信を行いたいグループを選択するためユーザ認識グループ番号を送信すると，前記移動体交換機１１はその入力を受け付けるユーザ認識グループ番号入力受付手順（ステップ８０１）と，
　前記移動体交換機１１から前記ユーザ認識グループ番号に対応するグループコードが網・加入者管理装置５１に送信されると，グループ構成メモリ１４１を検索し，前記グループコードに一致するグループ構成員電話番号をグループ呼び出し待ちリストメモリ１４８に格納するグループ構成員電話番号格納手順（ステップ８０６）と，
　前記移動体通信端末８１が自端末に最も距離が近い端末を検索して呼び出すサービス，指定した電話番号が割り当てられている端末に最も距離が近い端末を検索して呼び出すサービス，距離に関係なく一斉に呼び出しを行うサービスの中から，グループ呼び出し方法の選択を受け付ける手順（ステップ８１６）と，
　前記選択により，例えば，自端末に最も距離が近い端末を検索して呼び出すサービスが選択された場合，着信可能端末の地域座標と前記移動通信端末８１の地域座標を収集する地域座標収集手順（ステップ９０１）と，
　収集された前記地域座標から移動体通信端末８１と各端末との距離を算出し，この結果を前記グループ呼び出し待ちリストメモリ１４８に，距離をキーに昇順で並べ替えて格納する手順（９０２）と，
　前記グループ呼び出しリストメモリ１４８の先頭すなわち移動体通信端末８１に最も近い端末の電話番号の呼び出しを行う手順（ステップ９０３）と，
　を有するグループ呼び出し方法」
　　
３．対比・判断
　本願発明と引用発明とを対比すると，
　イ．引用発明は，「固定端末１，２，または移動体通信端末８１〜８６のうち，同一グループに属する端末を呼び出すグループ呼び出し方法」であり，前記「固定端末１，２，または移動体通信端末８１〜８６」，及び「グループ呼び出し方法」は，それぞれ「通信装置」，及び「グループ内呼接続制御方法」といえるから，「同一グループに属する通信装置に対しての呼接続を制御するグループ内呼接続制御方法」である点で本願発明と一致する。
　ロ．引用発明は「前記端末のうち，例えば，移動体通信端末８１が，グループ呼び出しのためにあらかじめ設定された特定電話番号にダイヤルすると，移動体交換機１１は前記ダイヤルされた特定電話番号の入力を受け付ける特定電話番号入力受付手順（ステップ８００）と，前記移動体通信端末８１が自分が通信を行いたいグループを選択するためユーザ認識グループ番号を送信すると，前記移動体交換機１１はその入力を受け付けるユーザ認識グループ番号入力受付手順（ステップ８０１）」とを有し，前記「特定電話番号にダイヤルする」ことと「ユーザ認識グループ番号を送信する」ことは，「グループを識別するグループ識別情報を含む発信要求」といえるから，「発信者の通信装置が，前記グループを識別するグループ識別情報を含む発信要求を送信する発信手順」を有する点で本願発明と一致する。 　
　ハ．引用発明は，「前記移動体通信端末８１が自分が通信を行いたいグループを選択するためユーザ認識グループ番号を送信すると，前記移動体交換機１１がその入力を受け付けるユーザ認識グループ番号入力受付手順（ステップ８０１）と，前記移動体交換機１１から前記ユーザ認識グループ番号に対応するグループコードが網・加入者管理装置５１に送信されると，グループ構成メモリ１４１を検索し，前記グループコードに一致するグループ構成員電話番号をグループ呼び出し待ちリストメモリ１４８に格納するグループ構成員電話番号格納手順（ステップ８０６）」を有し，前記「グループ構成員電話番号」は「ユーザ識別情報」といえ，これらの管理制御のために，網・加入者管理装置等からなるグループ内呼接続制御システムが自明的に備わっているといえるから，「グループ内呼接続制御システムが，前記発信手順において発信要求を受信した場合に，該発信要求に含まれるグループ識別情報で識別されるグループに属する通信装置を識別するためのユーザ識別情報を取得するグループメンバ取得手順」を有する点で本願発明と一致する。
　ニ．引用発明は，「前記移動体通信端末８１が自端末に最も距離が近い端末を検索して呼び出すサービス，指定した電話番号が割り当てられている端末に最も距離が近い端末を検索して呼び出すサービス，距離に関係なく一斉に呼び出しを行うサービスの中から，グループ呼び出し方法の選択を受け付ける手順（ステップ８１６）」を有しており，ここで，前記選択されたサービスを実行するためにそのサービスを実行するアルゴリズム記述したサービスロジックを，該サービスロジックを格納した記憶部から取得することは技術常識であって自明の手順であるから，「前記グループ内呼接続制御システムが，前記グループ識別情報で識別されるグループに属する通信装置の中から，該通信装置の少なくとも位置情報に基づいて，前記接続先通信装置を判定するためのアルゴリズムを記述したサービスロジックを取得するサービスロジック取得手順」を有する点で本願発明と一致する。
　ホ．引用発明は，「前記選択により，例えば，自端末に最も距離が近い端末を検索して呼び出すサービスが選択された場合，着信可能端末の地域座標と前記移動通信端末８１の地域座標を収集する地域座標収集手順（ステップ９０１）」を有しているから，「前記グループ内呼接続制御システムが，前記サービスロジック取得手順により取得されたサービスロジックに基づいて前記判定を行うために必要な情報を収集する判定情報収集手順」を有する点で本願発明と一致する。
　ヘ．引用発明は，「収集された前記地域座標から移動体通信端末８１と各端末との距離を算出し，この結果を前記グループ呼び出し待ちリストメモリ１４８に，距離をキーに昇順で並べ替えて格納する手順（９０２）」を有しているから，「前記グループ内呼接続制御システムが，前記判定情報収集手段により収集された情報と前記サービスロジック取得手段により取得されたサービスロジックとに基づいて，前記接続先通信装置を判定する接続先判定手順」を有する点で，本願発明と一致する。
　ト．引用発明は，「前記グループ呼び出しリストメモリ１４８の先頭すなわち移動体通信端末８１に最も近い端末の電話番号の呼び出しを行う手順（ステップ９０３）」を有するから，「前記グループ内呼接続制御システムが，前記接続先判定手段により判定された通信装置との呼を接続する呼接続手順」を有する点で，本願発明と一致する。
　以上総合すると，本願発明と引用発明は，以下の点で一致ないし相違する。
　
（一致点）
　「同一グループに属する通信装置に対しての呼接続を制御するグループ内呼接続制御方法において，
　発信者の通信装置が，前記グループを識別するグループ識別情報を含む発信要求を送信する発信手順と，
　グループ内呼接続制御システムが，前記発信手順において発信要求を受信した場合に，該発信要求に含まれるグループ識別情報で識別されるグループに属する通信装置を識別するためのユーザ識別情報を取得するグループメンバ取得手順と，
　前記グループ内呼接続制御システムが，前記グループ識別情報で識別されるグループに属する通信装置の中から，該通信装置の少なくとも位置情報に基づいて，前記接続先通信装置を判定するためのアルゴリズムを記述したサービスロジックを取得するサービスロジック取得手順と，
　前記グループ内呼接続制御システムが，前記サービスロジック取得手順により取得されたサービスロジックに基づいて前記判定を行うために必要な情報を収集する判定情報収集手順と，
　前記グループ内呼接続制御システムが，前記判定情報収集手段により収集された情報と前記サービスロジック取得手段により取得されたサービスロジックとに基づいて，前記接続先通信装置を判定する接続先判定手順と，
　前記グループ内呼接続制御システムが，前記接続先判定手段により判定された通信装置との呼を接続する呼接続手順と，
　を有するグループ内呼接続制御方法。」
　
（相違点）
　サービスロジック取得手順に関し，本願発明は，該手順が「変更可能なサービスロジック」を取得する手順であるのに対し，引用発明は，複数のサービス（サービスロジック）の中から選択入力により所要のサービス（サービスロジック）を選択（取得）する点。
　すなわち，発明の詳細な説明の記載を参酌すると，本願発明のサービスロジック取得手順は，サービスロジック記憶部に格納されている変更可能なサービスロジック（既に変更されているサービスロジック）を取得する手順であるのに対して，引用発明は，（技術常識を考慮すると）サービス記憶部に格納されている複数のサービス（サービスロジック）の中から選択入力により所要のサービス（サービスロジック）を選択（取得）する手順である点。
　
　そこで，検討すると，特表２００２−５００４８７号公報（段落０００１，０００２，０００７等参照），特開２００１−７７８１０号公報（段落０００１〜０００７等参照），特開平９−２３８３７１号公報（段落０００１〜０００４等参照）に記載されているように，ネットワーク内に処理ノードと呼ぶコンピュータを設置し，そのデータベースや処理機能を使って呼接続制御等，高度な通信サービスを提供する，いわゆるインテリジェントネットワークにおいて，呼接続制御を行うサービス制御点（ＳＣＰ）のサービスロジック（記憶部に格納されることは技術常識）を変更可能とし，その変更されたサービスロジックを取得してサービスを行うことは周知と認められる。
　そして，引用発明は，上記周知技術と同様，網・加入者管理装置（処理ノード）でグループ呼び出し（呼接続制御）を行うもので両者は技術分野を共通にするものであるから，上記周知技術によれば，引用発明において，記憶部に格納されている複数のサービス（サービスロジック）の中から選択入力により所要のサービス（サービスロジック）を選択（取得）する手順に代え，サービスロジック記憶部に格納されている変更可能なサービスロジック（既に変更されているサービスロジック）を取得する手順を採用すること，すなわち，サービスロジック取得手順を「変更可能なサービスロジック」を取得する手順とすることは，当業者が容易になし得ることである。　
　そして，本願発明による作用効果は，引用発明，及び周知技術から当業者が容易に予測できる範囲内のものであり，格別のものではない。
　
４．むすび
　以上のとおり，本願発明は，引用発明，及び周知技術に基づいて当業者が容易に発明をすることができたものと認められるから，特許法第２９条第２項の規定により特許を受けることができない。
　よって，結論のとおり審決する。